(57)【要約】      （修正有）【課題】リモコン本体などの電子機器本体と電池カバーとの間に、デザイン上の障害となる溝がなく、しかも、開閉が円滑に行なわれるようにしたものを提供すること。【解決手段】電子機器本体２０の一側面に電池カバー２１を着脱するための凹部２３を形成し、この凹部の内壁面２７に傾斜ガイド面２８と係止凹部２９とを形成し、電池カバーに形成した側板部３４の側面に、傾斜ガイド面をスライドしつつ係止凹部に圧入する係止圧入部３５を設け、電池カバーを着脱するための凹部における縁部の内側に係合段部２４を形成し、電池カバーの側板部を、周囲に鍔部３６が残るように形成し、係合段部に鍔部が斜め方向に沈み込むことにより電子機器本体に電池カバーを固定し、係合段部から鍔部を斜め方向に浮き上がらせることにより電子機器本体から電池カバーを外すようにしたカバーのロック機構である。【選択図】図１
2005259457.tif 000002
【特許請求の範囲】
【請求項１】
電子機器本体に電池カバーを着脱自在に設けた電子機器において、前記電子機器本体の一側面に電池カバーを着脱するための凹部を形成し、この凹部の内壁面に傾斜ガイド面とこの傾斜ガイド面に続く係止凹部とを形成し、前記電池カバーに側板部を形成し、この側板部の側面に、前記傾斜ガイド面をスライドしつつ前記係止凹部に圧入する係止圧入部を設けたことを特徴とする電子機器におけるカバーのロック機構。
【請求項２】
電池カバーを着脱するための凹部における縁部の内側に係合段部を形成し、電池カバーの側板部を、周囲に鍔部が残るように形成し、前記係合段部に前記鍔部が斜め方向に沈み込むことにより電子機器本体に電池カバーを固定し、前記係合段部から前記鍔部を斜め方向に浮き上がらせることにより電子機器本体から電池カバーを外すようにしたことを特徴とする請求項１記載の電子機器におけるカバーのロック機構。
【請求項３】
電池カバーを着脱するための凹部の内壁面に、傾斜ガイド面及びこの傾斜ガイド面に続く係止凹部を複数組設け、電池カバーの側板部の外側面に、前記複数組の傾斜ガイド面と係止凹部に対応する電池カバーの係止圧入部を複数組設け、かつ、前記電池カバーは、この電池カバーを着脱するための凹部に斜め方向に着脱するときに湾曲可能な弾性材料からなることを特徴とする請求項２記載の電子機器におけるカバーのロック機構。
【発明の詳細な説明】
【技術分野】
【０００１】
本発明は、電子機器としてのリモコン本体に電池カバーが着脱自在に設けられている場合において、リモコン本体とカバーとの間に、デザイン上の障害となる合わせ目の溝がなく、しかも、開閉が円滑に行なわれるようにした電子機器におけるカバーのロック機構に関するものである。
【背景技術】
【０００２】
従来、リモコン等の電子機器のハウジングは、図６に示すように、リモコン本体１０、裏蓋１１及び電池カバー１２からなるものや図７に示すように、リモコン本体１０と電池カバーを兼用した裏蓋１１からなるものなどある（特許文献１）。
このうち、図６に示すリモコンにおいては、リモコン本体１０の背面の裏蓋１１に電池収納部１３を形成し、この電池収納部１３から電池カバー１２を抜き取り、電池収納部１３内の電池１６を交換して、再び電池カバー１２をスライドして嵌め込むことによって、係止部１４を裏蓋１１の内壁面に係止するようにしたものである。
【０００３】
また、図７に示すリモコンにおいては、リモコン本体１０の背面の裏蓋１１を直接開閉自在として電池収納部１３と兼用とし、この電池カバー１２を途中までスライドにより開放した後、電池収納部１３内の電池１６を交換して、裏蓋１１をスライドして嵌め込むようにしたものである。
【特許文献１】特開２０００−２８１９０号公報。
【発明の開示】
【発明が解決しようとする課題】
【０００４】
図６においては、裏蓋１１に電池カバー１２を開閉自在に設けたものであるから、当然、裏蓋１１と電池カバー１２との間のスライド部分や当接部分に合わせ目１５が発生する。
また、図７においても、リモコン本体１０と裏蓋１１との間のスライド部分や当接部分に合わせ目１５が発生する。
これらの合わせ目１５は、電池カバー１２を裏蓋１１と別体に構成したものであっても、裏蓋１１と一体に構成したものであっても発生する。そして、この合わせ目１５には、精度よく作成しても、使用しているうちに隙間が生じたり、段差が生じたりして美観に欠けたものとなる。
【０００５】
そこで、図８に示すように、隙間が生じたり、段差が生じたりしても目立たないように、予め合わせ目１５におけるいずれか一方に大き目の溝１７を作成することも行なわれている。
しかし、このような構成とするとしても、合わせ目１５の部分に積極的に形成した溝１７や段差１８が発生して見苦しさは解消できないという問題があった。
本発明は、リモコン本体などの電子機器本体とカバーとの間に、デザイン上の障害となる溝がなく、しかも、開閉が円滑に行なわれるようにしたものを提供することを目的とするものである。
【課題を解決するための手段】
【０００６】
本発明は、電子機器本体に電池カバーを着脱自在に設けた電子機器において、前記電子機器本体の一側面に電池カバーを着脱するための凹部を形成し、この凹部の内壁面に傾斜ガイド面とこの傾斜ガイド面に続く係止凹部とを形成し、前記電池カバーに側板部を形成し、この側板部の側面に、前記傾斜ガイド面をスライドしつつ前記係止凹部に圧入する係止圧入部を設け、また、前記電池カバーを着脱するための凹部における縁部の内側に係合段部を形成し、電池カバーの側板部を、周囲に鍔部が残るように形成し、前記係合段部に前記鍔部が斜め方向に沈み込むことにより電子機器本体に電池カバーを固定し、前記係合段部から前記鍔部を斜め方向に浮き上がらせることにより電子機器本体から電池カバーを外すようにした電子機器におけるカバーのロック機構である。
【発明の効果】
【０００７】
請求項１記載の発明によれば、電子機器本体に電池カバーを着脱自在に設けた電子機器において、前記電子機器本体の一側面に電池カバーを着脱するための凹部を形成し、この凹部の内壁面に傾斜ガイド面とこの傾斜ガイド面に続く係止凹部とを形成し、前記電池カバーに側板部を形成し、この側板部の側面に、前記傾斜ガイド面をスライドしつつ前記係止凹部に圧入する係止圧入部を設けたので、電池カバーは、電子機器本体の凹部に嵌め込むだけであり、電子機器本体と電池カバーとの間に、デザイン上の障害となる溝がなくなり、美観に優れたロック機構が得られる。。
【０００８】
請求項２記載の発明によれば、電池カバーを着脱するための凹部における縁部の内側に係合段部を形成し、電池カバーの側板部を、周囲に鍔部が残るように形成し、前記係合段部に前記鍔部が斜め方向に沈み込むことにより電子機器本体に電池カバーを固定し、前記係合段部から前記鍔部を斜め方向に浮き上がらせることにより電子機器本体から電池カバーを外すようにしたので、電池カバーは、電池カバーの鍔部が電子機器本体の縁部の係合段部に沈み込むようにして閉じ、また、電池カバーの鍔部が電子機器本体の縁部の係合段部から浮き上がるように開く。従って、電池カバーのスライドにより開閉が円滑に行なわれる。
【０００９】
請求項３記載の発明によれば、電池カバーを着脱するための凹部の内壁面に、傾斜ガイド面及びこの傾斜ガイド面に続く係止凹部を複数組設け、電池カバーの側板部の外側面に、前記複数組の傾斜ガイド面と係止凹部に対応する電池カバーの係止圧入部を複数組設け、かつ、前記電池カバーは、この電池カバーを着脱するための凹部に斜め方向に着脱するときに湾曲可能な弾性材料からなるので、電池カバーの一端部がスライド時に電子機器本体の凹部における縁部に圧接しつつ湾曲しながら沈み込んだり、浮き上がったりして、電池カバーを電子機器本体へ嵌め込むときに両者間に隙間が発生するのを防止し、見た目の優れたものを提供できる。
【発明を実施するための最良の形態】
【００１０】
本発明は、電子機器本体に電池カバーを着脱自在に設けた電子機器において、前記電子機器本体の一側面に電池カバーを着脱するための凹部を形成し、この凹部の内壁面に傾斜ガイド面とこの傾斜ガイド面に続く係止凹部とを形成し、前記電池カバーに側板部を形成し、この側板部の側面に、前記傾斜ガイド面をスライドしつつ前記係止凹部に圧入する係止圧入部を設け、前記電池カバーを着脱するための凹部における縁部の内側に係合段部を形成し、電池カバーの側板部を、周囲に鍔部が残るように形成し、前記係合段部に前記鍔部が斜め方向に沈み込むことにより電子機器本体に電池カバーを固定し、前記係合段部から前記鍔部を斜め方向に浮き上がらせることにより電子機器本体から電池カバーを外すようにする。
また、電池カバーを着脱するための凹部の内壁面に、傾斜ガイド面及びこの傾斜ガイド面に続く係止凹部を複数組設け、電池カバーの側板部の外側面に、前記複数組の傾斜ガイド面と係止凹部に対応する電池カバーの係止圧入部を複数組設け、かつ、前記電池カバーは、この電池カバーを着脱するための凹部に斜め方向に着脱するときに湾曲可能な弾性材料にて構成する。
【実施例１】
【００１１】
図１乃至図５において、２０は、電子機器本体であり、この電子機器本体２０は、以下の例では、リモコン本体２０の場合を説明する。
この電子機器本体としてのリモコン本体２０は、幅３５ｍｍ、高さ２５ｍｍ、長さ２４０ｍｍ程度の片手で握って操作できる程度の大きさとする。このリモコン本体２０の上面には、長手方向に２列に操作釦２２が設けられ、下面には、本発明特有のロック機構を有する電池カバー２１が着脱自在に設けられている。
【００１２】
前記リモコン本体２０の下面には、長手方向に電池カバーを着脱するための凹部２３が形成され、また、この凹部２３の略中央に位置して凹部２３より深い電池収納凹部２５が形成されている。この凹部２３における内壁面２７の全周の縁部に薄い壁面を残した係合段部２４が形成されている。前記電池収納凹部２５の両端部には、それぞれ陽極片取り付け部３０と陰極ばね取り付け部３１が突出して設けられ、これらの陽極片取り付け部３０と陰極ばね取り付け部３１に、それぞれ陽極片３２と陰極ばね３３が設けられている。
【００１３】
前記凹部２３における長手方向の両側の内壁面２７には、それぞれ１乃至数個所、具体的には、所定間隔でそれぞれ４個所ずつ傾斜ガイド面２８と係止凹部２９が形成されている。前記傾斜ガイド面２８は、図３に示すように、凹部２３の底に向かって約１０度の角度で傾斜し、この傾斜ガイド面２８の先端部は、Ｖ字溝状の係止凹部２９に連続し、さらに傾斜ガイド面２８の係合段部２４側が所定の幅で開口している。
また、前記２つの傾斜ガイド面２８の間に位置して深さ方向に２条に膨出し、その間に縦溝を形成した位置決め凹部４２が設けられている。
【００１４】
前記電池カバー２１は、前記リモコン本体２０の係合段部２４に嵌合するような幅と長さを有する薄板状をなし、この電池カバー２１の一方の短辺の内側には、緩やかな緩斜面４０が形成され、他方の短辺の内側には、急傾斜の急斜面４３が形成されている。また、この電池カバー２１の両側の長辺部分が鍔部３６となるようにやや内側にそれぞれ側板部３４が一体に形成されている。この側板部３４の外側面には、前記電子機器本体としてのリモコン本体２０の係止凹部２９に係合する係止圧入部３５が一体に設けられている。この係止圧入部３５は、前記傾斜ガイド面２８に嵌め込まれ、傾斜ガイド面２８をスライドし、先端部が係止凹部２９に圧入するようにＶ字状をなしている。
また、前記係止圧入部３５と同一面には、両端で傾斜面を有するようにやや膨出した圧接部３７が形成され、この圧接部３７の略中央には、前記位置決め凹部４２に係合する位置決め突部３８が形成されている。
なお、電池カバー２１の外側面両端部には、リモコンをテーブル等に置いたときの脚部になるとともに、電池カバー２１の開閉時の滑り止めとなる突条部４１が形成されている。
【００１５】
以上のような構成による電池２６の交換時の電池カバー２１の着脱について説明する。
図１に示すように、リモコン本体２０の裏面を上向きにして、電池カバー２１を外した状態で電池収納凹部２５内の電池２６を交換する。
【００１６】
次いで、電池カバー２１をリモコン本体２０の凹部２３に上から被せるように嵌め込む。このとき、電池カバー２１は、図１において、リモコン本体２０の真上よりもやや左方向にずらし、係止圧入部３５が傾斜ガイド面２８の上部の開口部分に嵌合するようにして嵌め込み、係止圧入部３５の底面が傾斜ガイド面２８に接した状態で、電池カバー２１をやや右方向にスライドしながら圧入する。電池カバー２１をスライドするとき、電池カバー２１の上面を指で押し付けるようにして圧入するが、電池カバー２１の上面がすべるようなときは、両端の突条部４１に指を掛けるようにして圧入する。すると、図４及び図５に示すように、係止圧入部３５の先端のＶ字状部分が傾斜ガイド面２８を滑りながら係止凹部２９に密着して係合するとともに、電池カバー２１の全周囲の鍔部３６の部分がリモコン本体２０の係合段部２４に沈み込みながら隙間なく嵌合する。嵌合した状態で、軟質部材３９が電池２６を押さえ付けて電池２６を固定する。
このとき、電池カバー２１の図１（ａ）中の左端の鍔部３６は、下面に緩斜面４０が形成されているので、電池カバー２１はやや湾曲しながら鍔部３６が係合段部２４に円滑に嵌合する。
【００１７】
電池カバー２１を外すときには、図１において、電池カバー２１の上面を指で押し付けるようにして左方向にずらすと、電池カバー２１の緩斜面４０部分がリモコン本体２０の係合段部２４を滑るようにして乗り越えつつ、係止圧入部３５が傾斜ガイド面２８を摺動し、係止圧入部３５が係止凹部２９から抜け出て、電池カバー２１がリモコン本体２０から浮き上がって外れる。外れたら、電池カバー２１をリモコン本体２０から取り出す。
【実施例２】
【００１８】
前記実施例では、電子機器本体としてのリモコン本体２０における傾斜ガイド面２８、係止凹部２９の数と、電池カバー２１における係止圧入部３５とを左右にそれぞれ４個所ずつ形成したが、この数は、これに限られるものではなく、また、左右１個所ずつであってもよい。
【図面の簡単な説明】
【００１９】
【図１】本発明による電子機器におけるカバーのロック機構の一実施例を示すもので、（ａ）は、電池カバー２１の一部切り欠いた正面図、（ｂ）は、一部切り欠いた電子機器本体としてのリモコン本体２０の正面図である。
【図２】図１に示した本発明による電子機器におけるカバーのロック機構において、（ａ）は、電池カバー２１の底面図、（ｂ）は、電子機器本体としてのリモコン本体２０の上面図である。
【図３】図１に示した本発明による電子機器におけるカバーのロック機構における電子機器本体としてのリモコン本体２０と電池カバー２１の一部の分解斜視図である。
【図４】図１に示した本発明による電子機器におけるカバーのロック機構における電子機器本体としてのリモコン本体２０に電池カバー２１を嵌合したときの図４のＡ−Ａ線断面である。
【図５】図４におけるＢ−Ｂ線断面図である。
【図６】従来の電子機器におけるカバーのロック機構の第１例を示す分解斜視図である。
【図７】従来の電子機器におけるカバーのロック機構の第２例を示す分解斜視図である。
【図８】従来の電子機器におけるカバーのロック機構において、合わせ目１５に１７を形成した例を示す断面図である。
【符号の説明】
【００２０】
１０…電子機器本体としてのリモコン本体、１１…裏蓋、１２…電池カバー、１３…電池収納部、１４…係止部、１５…合わせ目、１６…電池、１７…溝、１８…段差、２０…電子機器本体としてのリモコン、２１…電池カバー、２２…操作釦、２３…凹部、２４…係合段部、２５…電池収納凹部、２６…電池、２７…内壁面、２８…傾斜ガイド面、２９…係止凹部、３０…陽極片取り付け部、３１…陰極ばね取り付け部、３２…陽極片、３３…陰極ばね、３４…側板部、３５…係止圧入部、３６…鍔部、３７…圧接部、３８…位置決め突部、３９…軟質部材、４０…緩斜面、４１…突条部、４２…位置決め凹部、４３…急斜面。
【図１】
2005259457.tif 000003
【図２】
2005259457.tif 000004
【図３】
2005259457.tif 000005
【図４】
2005259457.tif 000006
【図５】
2005259457.tif 000007
【図６】
2005259457.tif 000008
【図７】
2005259457.tif 000009
【図８】
2005259457.tif 000010